(57)【要約】コードリール装置（２０）は、同軸で一体回転する第１及び第２リール体（４２，４６）と、第１リール体（４２）に巻回される引出コード（２２）と、第２リール体（４６）に巻回される内部コード（２６）と、第１及び第２リール体（４２，４６）を覆うリールケース（５０）とを有する。引出コード（２２）がリールケース（５０）の外に引き出されるにつれて、第１及び第２リール体（４２，４６）が回転し、内部コード（２６）がリールケース（５０）内で第２リール体（４６）からほどける。渦巻バネ（３８）が第１及び第２リール体（４２，４６）を反対方向に回転すると、引出コード（２２）は第１リール体（４２）に巻き戻され、内部コード（２６）は第２リール体（４６）に巻き戻される。リールケース（５０）は、その内部に、第２リール体（４６）の半径方向に突出する凸部（５７）を有する。巻き戻しの際、凸部（５７）は、内部コード（２６）の折返し部分（Ｐ）を係止する。巻き戻しが進むと、折返し部分（Ｐ）は解消する。
2013140736.tif 000002
【特許請求の範囲】
【請求項１】
それぞれの回転軸が一致するように前記回転軸方向において連結された第１リール体および第２リール体と、
前記第１リール体と前記第２リール体とを回転可能な状態で内包するリールケースと、
前記第１リール体に対して引き出し可能に巻回されており、前記リールケースの外部へ引き出される引出コードと、
前記第２リール体に対して、前記引出コードの巻回方向と同じ方向に巻回されており、前記引出コードの引き出しに伴って前記リールケースの内部に形成される空間内において遊動する内部コードと、
前記リールケースに設けられており、前記内部コードが巻回される空間に向かって突出する凸部と、
を備えているコードリール装置。
【請求項２】
前記凸部は、前記内部コードが巻回された空間において、前記回転軸に向かって突出している、
請求項１に記載のコードリール装置。
【請求項３】
前記凸部は、前記リールケース内に形成された前記内部コードが巻回された空間において、前記内部コードの前記回転軸に接続された第１端部とは反対側の第２端部が固定された位置よりも、引き出された前記引出コードを巻回する際の前記内部コードの巻回方向における上流側に設けられている、
請求項１に記載のコードリール装置。
【請求項４】
前記凸部は、前記リールケースと一体成形されている、
請求項１に記載のコードリール装置。
【請求項５】
前記第２リール体における前記引出コードの巻き取り軸に立設されており、前記引出コードの巻き取り方向に対して所定の角度で傾くように設けられた側壁部を、さらに備えている、
請求項１から４のいずれか１項に記載のコードリール装置。
【請求項６】
前記凸部は、突出部分を形成する壁面の一部として、略円弧状のコード係止壁を有している、
請求項１から５のいずれか１項に記載のコードリール装置。
【請求項７】
前記コード係止壁は、引き出された前記引出コードを巻回する際において、前記内部コードの前記巻回方向における上流側の面に配置されている、
請求項６に記載のコードリール装置。
【請求項８】
それぞれの回転軸が一致するように前記回転軸方向において連結された第１リール体および第２リール体と、
前記第１リール体と前記第２リール体とを回転可能な状態で内包するリールケースと、
前記第１リール体に対して引き出し可能に巻回されており、前記リールケースの外部へ引き出される引出コードと、
前記第２リール体に対して、前記引出コードの巻回方向と同じ方向に巻回されており、前記引出コードの引き出しに伴って前記リールケースの内部に形成される空間内において遊動する内部コードと、
前記第２リール体における前記引出コードの巻き取り軸に立設されており、前記引出コードの巻き取り方向に対して所定の角度で傾くように設けられた側壁部と、
を備えているコードリール装置。
【請求項９】
前記所定の角度は、３度以上１０度以下である、
請求項８に記載のコードリール装置。
【発明の詳細な説明】
【技術分野】
【０００１】
本開示は、送受話器、操作端末装置等の各種コードに用いられるコードリール装置に関する。
【背景技術】
【０００２】
航空機などの旅客移動体では、乗客にいろいろなサービスを提供する機内サービスシステムが装備されている。
例えば、航空機等には、座席ごとに、送受話器、操作端末装置、ヘッドフォン装置、ＡＶコンテンツ視聴システム等が設けられている。これにより、電話、映画、ゲーム、インターネットへの接続サービス等の多様なサービスが提供される。【０００３】
これらの送受話器、操作端末装置、ヘッドフォン装置等は、コードを介して、座席内部に設けられた電子機器あるいはコネクタと接続されている。
例えば、航空機等では、送受話器は、座席の肘掛部に設けられたクレードルに収納されている。そして、乗客がクレードルから送受話器を取り出すと、クレードルの裏側に設けられたコードリール装置からコードが引き出される。このように、送受話器のコードは、コードリール装置に接続されているため、送受話器がクレードルから大きく離れることはない。
【先行技術文献】
【特許文献】
【０００４】
【特許文献１】特表平９−５１２４０１号公報
【発明の概要】
【０００５】
しかしながら、従来のコードリール装置は、巻取り不良が発生することがあり、信頼性に乏しいという問題を有していた。また、送受話器のコードとして、例えば、カールコードを使用した場合には、コードが伸びすぎて送受話器が床に落下するといった問題が発生する。
本開示は、上記の課題を解決するものであり、巻取り不良が発生するおそれのない、信頼性の高いコードリール装置を提供することを目的とする。
【０００６】
上記目的を達成するために、本開示に係るコードリール装置は、第１・第２リール体と、リールケースと、引出コードと、内部コードと、凸部と、を備えている。第１リール体および第２リール体は、それぞれの回転軸が一致するように回転軸方向において連結されている。リールケースは、第１リール体と第２リール体とを回転可能な状態で内包する。引出コードは、第１リール体に対して引き出し可能に巻回されており、リールケースの外部へ引き出される。内部コードは、第２リール体に対して、引出コードの巻回方向と同じ方向に巻回されており、引出コードの引き出しに伴ってリールケースの内部に形成される空間内において遊動する。凸部は、リールケースに設けられており、内部コードが巻回される空間に向かって突出する。
【０００７】
これにより、巻取り不良の発生するおそれのない、信頼性の高いコードリール装置を提供することができる。
また、本開示のコードリール装置では、凸部は、内部コードが巻回された空間において、回転軸に向かって突出していることが好ましい。
また、本開示のコードリール装置では、凸部は、リールケース内に形成された内部コードが巻回された空間において、内部コードの回転軸に接続された第１端部とは反対側の第２端部が固定された位置よりも、引き出された引出コードを巻回する際の内部コードの巻回方向における上流側に設けられていることが好ましい。
【０００８】
また、本開示のコードリール装置では、凸部は、リールケースと一体成形されていることが好ましい。
また、本開示のコードリール装置では、第２リール体における引出コードの巻き取り軸に立設されており、引出コードの巻き取り方向に対して所定の角度で傾くように設けられた側壁部を、さらに備えていることがより好ましい。
また、本開示のコードリール装置では、凸部は、突出部分を形成する壁面の一部として、略円弧状のコード係止壁を有していることが好ましい。
また、本開示のコードリール装置では、コード係止壁は、引き出された引出コードを巻回する際において、巻回方向における上流側の面に配置されていることが好ましい。
【０００９】
また、本開示のコードリール装置は、第１・第２リール体と、リールケースと、引出コードと、内部コードと、側壁部と、を備えている。第１リール体および第２リール体は、それぞれの回転軸が一致するように回転軸方向において連結されている。リールケースは、第１リール体と第２リール体とを回転可能な状態で内包する。引出コードは、第１リール体に対して引き出し可能に巻回されており、リールケースの外部へ引き出される。内部コードは、第２リール体に対して、引出コードの巻回方向と同じ方向に巻回されており、引出コードの引き出しに伴ってリールケースの内部に形成される空間内において遊動する。側壁部は、第２リール体における引出コードの巻き取り軸に立設されており、引出コードの巻き取り方向に対して所定の角度で傾くように設けられている。
【００１０】
これにより、巻取り不良の発生するおそれのない、信頼性の高いコードリール装置を提供することができる。
また、本開示のコードリール装置の所定の角度は、３度以上、１０度以下であることが好ましい。
【００１１】
（効果）
本開示によれば、巻取り不良の発生を効果的に抑制することが可能な信頼性の高いコードリール装置を提供することができる。
【図面の簡単な説明】
【００１２】
【図１】本開示の一実施形態に係るコードリール装置が装着された航空機内の座席の一例を示す斜視図である。
【図２】図１の座席に装着されたコードリール装置およびそれに接続された送受話器の一例を示す斜視図である。
【図３】図２のコードリール装置の斜視図である。
【図４】図３のコードリール装置のＡ−Ａ線矢視断面図である。
【図５】図２のコードリール装置の第１リール体に巻回された引出コードを示す断面図である。
【図６】図２のコードリール装置の第２リール体に巻回された内部コードを示す断面図である。
【図７】（ａ）〜（ｆ）は、図２のコードリール装置の引き出し動作を説明するための断面図である。
【図８】（ａ）〜（ｆ）は、図２のコードリール装置の巻戻し動作を説明するための断面図である。
【図９】（ａ）〜（ｄ）は、図２のコードリール装置の他の巻戻し動作を説明するための断面図である。
【図１０】（ａ）〜（ｄ）は、従来のコードリール装置の他の巻戻し動作を説明するための断面図である。
【発明を実施するための形態】
【００１３】
以下、本開示の一実施形態に係るコードリール装置について、送受話器に接続されたコードリール装置を例として挙げて、図面を用いて説明する。
図１は、本開示のコードリール装置が装着された航空機内の座席１０の一例を示す斜視図である。
座席１０の背面には、乗客に対して映画やゲーム、音楽等の各種エンターテイメントを提供するための液晶モニタ等が設置されている。また、座席の肘掛部には、図１に示すように、液晶モニタ等を操作するための送受話器１４が埋設されている。
【００１４】
図２は、本実施形態のコードリール装置２０、およびそれに接続された送受話器１４の一例を示す斜視図である。
送受話器１４は、図２に示すように、クレードル１６に収納されている。クレードル１６の裏側には、コードリール装置２０が設置されている。そして、送受話器１４には、コードリール装置２０の引出コード２２の端部に取り付けられたプラグ２３が接続されている。
【００１５】
（コードリール装置２０）
図３は、本実施形態に係るコードリール装置２０の斜視図である。また、図４は、図３のＡ−Ａ線矢視断面図である。
コードリール装置２０は、図３および図４に示すように、引出コード２２と、内部コード２６と、コードリール３０と、リールケース５０と、ストッパ機構（図示せず）とを備えている。
【００１６】
コードリール３０は、固定軸３２と、渦巻バネ３８と、リール体４０とを有している。
渦巻バネ３８は、固定軸３２とリール体４０とを接続し、引き出された引出コード２２を巻戻すための復元力を発生させる。
リール体４０は、図４に示すように、同軸上に配置された第１リール体４２と第２リール体４６とを有している。そして、第１・第２リール体４２，４６は、樹脂の一体成形品として形成されており、固定軸３２に回転可能な状態で保持されている。
【００１７】
第１リール体４２は、図４に示すように、引出コード２２が巻回されている。第２リール体４６は、図４に示すように、内部コード２６が巻回されている。そして、それぞれの回転軸４８が一致するように、第１リール体４２と第２リール体４６とが回転軸４８方向において連結されている。
これにより、本実施形態のコードリール装置２０では、第１リール体４２と第２リール体４６とが固定軸３２の延伸方向に並列に連結されている。
【００１８】
ここで、第２リール体４６には、内部コード２６を巻回する巻き取り面４６ａから径方向外側に向かって立設された側壁４７が設けられている。本実施形態では、この側壁４７が、図４に示すように、内部コード２６の巻回方向（回転軸４８の垂線方向）に対して、所定の角度だけ傾いて配置されている。
なお、側壁４７の傾斜角度を示す所定の角度は、３度以上１０度以下であることが好ましい。本実施形態では、側壁４７の傾斜角度は、６度に設定されている。
【００１９】
図５は、本実施形態に係るコードリール装置２０の第１リール体４２に巻回された引出コード２２を、第１リール体４２側から見た断面図である。また、図６は、図５のコードリール装置２０の第２リール体４６に巻回された内部コード２６を、第２リール体４６側から見た断面図である。
引出コード２２は、コードリール装置２０から引き出し可能であって、送受話器１４に接続するためのコードである。そして、引出コード２２は、乗客側空間に引き出されて乗客の手に触れるコードである。このため、本実施形態では、引出コード２２として、断面形状が円形であって比較的強度の大きい丸型コードを用いている。
【００２０】
引出コード２２の第１端部には、送受話器１４に接続するためのプラグ２３（図２参照）が取り付けられている。引出コード２２の第１端部とは反対側の第２端部（以下、「引出コード２２の基端部」と呼称する）は、図４および図５に示すように、第１リール体４２に固定されている。
引出コード２２は、第１リール体４２に引き出し可能な状態で巻回されており、図４に示す渦巻バネ３８の復元力に逆らって、リールケース５０から引き出すことができる。また、引出コード２２は、任意の長さに引き出されると、ストッパ機構（図示せず）により引き出された状態で保持される。さらに、引き出された状態で保持された引出コード２２を軽く引っ張ることにより、ストッパ機構が解除され、渦巻バネ３８の復元力によって引出コード２２が第１リール体４２に巻き戻される。
【００２１】
内部コード２６は、引出コード２２の半分程度の長さであり、断面形状が薄い板状の平型コードである。そして、内部コード２６の第１端部は、図６に示すように、第２ケース５６の内壁側の位置（図中の左上部分）において、リールケース５０に固定されたコネクタ５８に接続されている。一方、内部コード２６の第１端部とは反対の第２端部（以下、「内部コード２６の基端部」と呼称する）は、第２リール体４６に接続されている。
【００２２】
また、内部コード２６は、引出コード２２の巻回方向と同方向で第２リール体４６に巻回されている。
リールケース５０は、樹脂製のケースであって、第１リール体４２側を覆う第１ケース５２と、第２リール体４６側を覆う第２ケース５６とを有している。そして、第１ケース５２と第２ケース５６とが固定軸３２に取り付けられた状態で、第１ケース５２と第２ケース５６とを嵌合させることにより、リールケース５０がリール体４０を回転可能な状態で内包する。
【００２３】
これにより、リールケース５０は、第１リール体４２と第２リール体４６とを回転可能な状態で内包するとともに、引出コード２２の巻回時に生じる内部コード２６の遊動を可能とする巻回空間を内部に形成する。
第２ケース５６には、リールケース５０内の巻回空間において、突出する凸部５７が形成されている。
【００２４】
凸部５７は、第２ケース５６（リールケース５０）の一部として、樹脂によって第２ケース５６とともに一体成形されている。また、凸部５７は、第１・第２リール体４２，４６の回転軸に向かって突出するように設けられている。
さらに、凸部５７は、図６に示すように、第２ケース５６（リールケース５０）内に形成された内部コード２６の巻回空間において、内部コード２６の第１端部が固定された位置よりも内部コード２６の巻回方向（図中時計回り）における上流側に設けられている。
【００２５】
なお、この場合の内部コード２６の巻回方向とは、外部へ引き出された引出コード２２を第１リール体４２に巻き取る際に、内部コード２６が巻回される方向（図６点線矢印参照）を示している。
より具体的には、凸部５７は、引出コード２２が出し入れされる際に生じる内部コード２６のたるんだ部分が大きくならないように、巻回空間の内側（第２リール体４６の回転軸側）に向かって押さえ込むために、所定の位置に設けられている。
【００２６】
本実施形態では、凸部５７が設けられる所定の位置として、後述するコードリール装置２０の動作において生じる内部コード２６のたるみが大きくなり易い位置、つまり、内部コード２６の第１端部が固定された位置の巻回方向における上流側の位置に、凸部５７を設けている。
なお、凸部５７を設けたことによる、本開示の作用・効果については、後段にて詳述する。
【００２７】
凸部５７を形成する壁面の一部には、内部コード２６のたるみ部分を係止するためのポケット空間Ｓ（図６参照）を形成するコード係止壁５９が設けられている。
コード係止壁５９は、上述した凸部５７を構成する壁面の一部であって、図６に示すように、側面視において、略円弧状に形成されている。また、コード係止壁５９は、第２リール体４６の回転軸から巻回空間の境界までの動径Ｒ（θ）が偏角方向θで不連続に減少する形状として設けられている。
【００２８】
特に、コード係止壁５９は、図６に示すように、引出コード２２を巻戻す際に第２リール体４６が回転する方向における偏角θ１から偏角θ２の範囲において、内部コード２６の巻回空間の境界までの動径Ｒ（θ）が、Ｒ（θ１）からＲ（θ２）に不連続に減少するように形成されている。
コード係止壁５９が設けられていることにより、凸部５７の巻回方向における上流側の部分に、たるんだ内部コード２６の折り返し部分を保持するためのポケット空間Ｓ（図６参照）が形成される。
なお、本実施形態のコードリール装置２０にコード係止壁５９を設けたことによる詳細な作用・効果については、後段にて詳述する。
【００２９】
＜コードリール装置２０の動作＞
次に、コードリール装置２０の動作について、図７（ａ）〜図９（ｄ）を用いて説明する。
引出コード２２は、コードリール装置２０から引き出される際に、乗客によって引き出したい長さまで引っ張られると、渦巻バネ３８の復元力に逆らってコードリール装置２０から引き出される。
図７（ａ）〜図７（ｆ）は、本実施形態におけるコードリール装置２０の引き出し動作を説明するために、内部コード２６を第２リール体４６側から見た断面図である。
【００３０】
図７（ａ）には、引出コード２２を引き出す前の内部コード２６の状態Ｓ７１を示している。この状態Ｓ７１から、引出コード２２を渦巻バネ３８の復元力に逆らって引き出し始めると、内部コード２６はコネクタ５８に接続されている側から順にほどけはじめる。
ここで、内部コード２６のほどけた部分は、図７（ｂ）に示すように、内部コード２６の巻回空間の第２ケース５６の内壁面の付近まで広がる（状態Ｓ７２）。
【００３１】
次に、引出コード２２を半分程度の長さまで引き出すと、図７（ｃ）に示すように、内部コード２６の全体がほどけて第２リール体４６から離れ、内部コード２６が巻回空間全体に広がる（状態Ｓ７３）。
次に、引出コード２２をさらに引き出すと、図７（ｄ）に示すように、内部コード２６の基端部（第２端部）側から順に、第２リール体４６に巻回され始める。このとき、内部コード２６が巻回される向きは、状態Ｓ７１の向きの逆である。そして、内部コード２６の巻回される部分とほどけた部分との間に折返し点Ｐが発生する（状態Ｓ７４）。
【００３２】
折返し点Ｐは、図７（ｅ）に示すように、第２リール体４６の回転する向きと同じ向きに移動する（状態Ｓ７５）。
引出コード２２を引き出しきった状態では、図７（ｆ）に示すように、内部コード２６は、状態Ｓ７１とは逆向きに第２リール体４６に巻回される（状態Ｓ７６）。そして、引出コード２２の引き出し動作を停止すると、ストッパ機構がこの状態Ｓ７６を保持する。
【００３３】
次に、引出コード２２をコードリール装置２０内部に収納する場合には、乗客によって引出コード２２が軽く引っ張られる。すると、ストッパ機構が解除され、渦巻バネ３８の復元力によって引出コード２２がコードリール装置２０内部に巻戻されて第１リール体４２に巻回される。
図８（ａ）〜図８（ｆ）は、本実施形態のコードリール装置２０の巻戻し動作を説明するために、内部コード２６を第２リール体４６側から見た断面図である。
【００３４】
引出コード２２を引き出しきった状態（状態Ｓ８１）では、図８（ａ）に示すように、内部コード２６は第２リール体４６に逆方向に巻回されている。この状態は図７（ａ）〜図７（ｆ）の状態Ｓ７６と同じである。
引出コード２２がコードリール装置２０内部に巻き戻され始めると、内部コード２６は、コネクタ５８に接続されている第１端部側から順にほどけはじめる。
【００３５】
そして、内部コード２６のほどけた部分は、図８（ｂ）に示すように、内部コード２６の巻回空間の第２ケース５６の内壁面の付近まで広がる（状態Ｓ８２）。
次に、引出コード２２がほぼ半分の長さまで巻き戻されると、図８（ｃ）に示すように、内部コード２６の全体がほどけて第２リール体４６から離れ、内部コード２６の巻回空間いっぱいに広がった状態となる（状態Ｓ８３）。
【００３６】
引出コード２２がさらに巻き戻されると、内部コード２６の第２端部（基端）部側から順に第２リール体４６に巻回され始める。このとき、巻回される方向は、状態Ｓ８１の向きの逆である。
そして、図８（ｄ）に示すように、内部コード２６の巻回される部分とほどけた部分との間に折返し点Ｐが発生する（状態Ｓ８４）。折返し点Ｐは、図８（ｅ）に示すように、第２リール体４６の回転する向きと同じ向きに移動する（状態Ｓ８５）。
【００３７】
そして、引出コード２２がコードリール装置２０内部に完全に巻戻されると、図８（ｆ）に示すように、内部コード２６も第２リール体４６に巻回される（状態Ｓ８６）。なお、この状態Ｓ８６は、図７（ａ）の状態Ｓ７１と同じである。
なお、上述の説明では、引出コード２２を全て引き出す場合について説明したが、引出コード２２を途中まで引き出す場合には、引き出し動作を停止した時点でストッパ機構が動作して、その時点の長さで引出コード２２が保持される。また、この状態から、引出コード２２を軽く引っ張ると、ストッパ機構が解除されて渦巻バネ３８の復元力によって引出コード２２がコードリール装置２０内部に巻戻されて第１リール体４２に巻回される。
【００３８】
ここで、引出コード２２を半分以上引き出した状態で引き出し動作を停止し、その後に引出コード２２をコードリール装置２０内部に巻戻す場合に、従来のコードリール装置では巻取り不良が発生することがあった。しかし、本実施形態のコードリール装置２０の構成では、同様の場合であっても巻取り不良が発生するおそれがない。
ここで、図９（ａ）〜図９（ｄ）は、本実施の形態におけるコードリール装置２０の他の巻戻し動作を説明するために、内部コード２６を第２リール体４６側から見た断面図である。
【００３９】
ここでは、引出コード２２を途中まで引き出した状態Ｓ９１（図７（ｄ）の状態Ｓ７４と同じ状態）からコードリール装置２０内部に巻戻す場合の動作について詳細に説明する。
まず、状態Ｓ９１では、図９（ａ）に示すように、内部コード２６の巻回方向は、状態Ｓ７１の向きの逆である。そして、内部コード２６の巻回される部分とほどけた部分との間に折返し点Ｐが発生している。
【００４０】
この状態から、引出コード２２がコードリール装置２０内部に巻戻されはじめると、この折返し点Ｐは、第２リール体４６の回転方向と同じ方向に移動する。
ここで、本実施の形態では、第２ケース５６内の巻回空間に突出する凸部５７が設けられている。そして、凸部５７は、回転軸４８から巻回空間の境界までの動径Ｒ（θ）が偏角方向θで不連続に減少する略円弧状のコード係止壁５９を有している。
【００４１】
これにより、内部コード２６の折返し点Ｐは、図９（ｂ）に示すように、コード係止壁５９に引っ掛かり、コード係止壁５９を越えて移動することを抑制することができる（状態Ｓ９２）。このため、図９（ｃ）に示すように、引出コード２２がさらに巻戻されるに伴って、折返し部分が解消される（状態Ｓ９３）。
そして、引出コード２２がコードリール装置２０内部に完全に巻戻されると、図９（ｄ）に示すように、内部コード２６も第２リール体４６に巻回される（状態Ｓ９４）。この状態は、図８（ａ）に示すように、の状態Ｓ８６と同じである。
【００４２】
さらに、本実施の形態においては、上述したように、図４に示すように、第２リール体４６の側壁４７を、内部コード２６の巻き取り方向（回転軸４８の垂線方向）に対して約６度傾けている。
つまり、本実施形態では、第２リール体４６の側壁４７を、内部コード２６の巻き取り方向（回転軸４８の垂線方向）に対して傾けている。これにより、内部コード２６が巻き取られる際に、内部コード２６と側壁４７との摩擦が大きくなり、内部コード２６が巻回空間の内側（第２リール体４６の回転軸方向）に引き寄せられるのを防止することができる。この結果、内部コード２６の折返し点Ｐが、凸部５７と第２リール体４６との隙間を通って移動した結果生じる巻き取り不良の発生を効果的に抑制することができる。
【００４３】
以上のように、本実施形態のコードリール装置２０では、第２ケース５６内において、巻回空間に突出する凸部５７が設けられている。そして、凸部５７は、引出コード２２を巻戻す方向に偏角を変化させた場合に、内部コード２６の巻回空間の境界までの動径Ｒが不連続に減少する略円弧状のコード係止壁５９を有している。このため、内部コード２６の折返し点Ｐが、コード係止壁５９を越えて移動することを効果的に抑制することができる。
【００４４】
さらに、本実施形態では、第２リール体４６の側壁４７を、回転軸４８の垂線に対して所定の角度（本実施形態では約６度）傾けている。このため、折返し点Ｐが凸部５７と第２リール体４６との隙間を通って移動することを効果的に抑制することができる。したがって、折返し点Ｐが内部コードの間に挟まれて絡まりが発生することを防止して、巻取り不良の発生を効果的に防止することが可能な信頼性の高いコードリール装置を提供することができる。
【００４５】
（参考例）
ここで、上述した本実施形態のコードリール装置２０による作用・効果を分かり易く説明する上で、図１０（ａ）〜図１０（ｄ）に示す比較例を挙げて以下で説明する。
図１０（ａ）に示すように、内部コードの折り返し点Ｐが、本実施形態のコード係止壁５９が設けられている位置を越えて移動したと仮定する（状態Ｓ１０２）。
【００４６】
すると、図１０（ｂ）に示すように、折返し点Ｐが内部コードの間に挟まれて絡まりが発生し（状態Ｓ１０３）、図１０（ｃ）に示すように、内部コードが絡まると第２リール体が回転できなくなる（状態Ｓ１０４）。この結果、引出コードをコードリール装置内部に収納することができなくなる。
さらに、仮に、上記実施形態において第２リール体４６の側壁４７が回転軸４８の垂線に対して垂直であったと仮定する。
【００４７】
すると、巻回空間に広がっていた内部コードの外側に巻回される部分が、急速に巻回空間における内側に引き寄せられ、図１０（ｄ）に示すように、内部リールの第１端部が固定された部分と第２リール体との隙間を通って折返し点Ｐが移動するおそれがある（状態Ｓ１１２）。
そして、折り返し点Ｐがコード係止壁５９の位置を越えて移動すると、図１０（ｂ）に示すように、折返し点Ｐが内部コードの間に挟まれて絡まりが発生する（状態Ｓ１０３）。
その後、上記と同様に、内部コードが絡まると第２リール体が回転できなくなり、図１０（ｃ）に示すように、引出コードをコードリール装置内部に収納することができなくなる（状態Ｓ１０４）。
【００４８】
（他の実施形態）
（Ａ）
上記実施の形態において用いた具体的な各数値は、単に一例を挙げたに過ぎず、コード巻取り装置の仕様等に合わせて、適宜、最適な値に設定することが望ましい。
さらに、本実施の形態においては送受話器に接続されたコードリール装置を例に説明したが、本開示はこれに限定するものではない。
例えば、ヘッドホンコード、電気配線コード、オプティカルコード、その他の各種コードを巻回して収納するコードリール装置として使用することができる。
【００４９】
（Ｂ）
上記実施形態では、第２ケース５６内に設けられた凸部５７が、第１・第２リール体４２，４６の回転軸４８に向かって突出するように形成された例を挙げて説明した。しかし、本発明はこれに限定されるものではない。
例えば、凸部は、第２ケース内の巻回空間に向かって突出するものであって、引き出しコードを巻き取る際に内部コードの折り返し部分が巻き込まれないように効果的に押さえ込む位置に配置されていればよい。
【産業上の利用可能性】
【００５０】
本開示は、巻取り不良の発生を効果的に抑制することが可能な信頼性の高いコードリール装置として有用である。
【符号の説明】
【００５１】
１０      座席
１４      送受話器
１６      クレードル
２０      コードリール装置
２２      引出コード
２３      プラグ
２６      内部コード
３０      コードリール
３２      固定軸
３８      渦巻バネ
４０      リール体
４２      第１リール体
４６      第２リール体
４６ａ    巻き取り面
４７      側壁（側壁部）
４８      回転軸
５０      リールケース
５２      第１ケース
５６      第２ケース
５７      凸部
５８      コネクタ
５９      コード係止壁
Ｓ      ポケット空間
θ１，θ２  偏角
【図１】
2013140736.tif 000003
【図２】
2013140736.tif 000004
【図３】
2013140736.tif 000005
【図４】
2013140736.tif 000006
【図５】
2013140736.tif 000007
【図６】
2013140736.tif 000008
【図７】
2013140736.tif 000009
【図８】
2013140736.tif 000010
【図９】
2013140736.tif 000011
【図１０】
2013140736.tif 000012
【手続補正書】
【提出日】平成26年9月16日(2014.9.16)
【手続補正１】
【補正対象書類名】特許請求の範囲
【補正対象項目名】請求項１
【補正方法】変更
【補正の内容】
【請求項１】
それぞれの回転軸が一致するように前記回転軸方向において連結された第１リール体および第２リール体と、
前記第１リール体と前記第２リール体とを回転可能な状態で内包するリールケースと、
前記第１リール体に対して引き出し可能に巻回されており、前記リールケースの外部へ引き出される引出コードと、
前記第２リール体に対して、前記引出コードの巻回方向と同じ方向に巻回されており、前記引出コードの引き出しに伴って前記リールケースの内部に形成される空間内において遊動する内部コードと、
前記リールケースに設けられており、前記内部コードが巻回される空間の外周側から突出する凸部と、
を備えているコードリール装置。
【国際調査報告】
2013140736.tif 000013
2013140736.tif 000014
2013140736.tif 000015
2013140736.tif 000016